(57)【要約】【課題】振出式釣竿の収納時における穂先竿と各竿管先端との保護を確実に図ることのでき釣竿保護カバーを提供すること【解決手段】穂先竿４を順に収納する元竿管６の先端部に固定される固定部２８と、この元竿管の先端部から突出する穂先竿４の先端部を収納可能な硬質材製の筒状部１２と、この筒状部１２の先側開口部１２ｂに、元竿管６の先端部に対向させて設けられる軟質材製の閉塞部材３０とを備え、この閉塞部材３０は、先側開口部１２ｂの内周縁部に嵌合される外周縁部に沿って厚肉部３２を形成され、釣竿８の軸方向に沿う肉厚がこの厚肉部３２よりも薄い薄肉部３４を径方向中央部に形成される釣竿保護カバー１０。【選択図】  図１
2007151412.tif 000002
【特許請求の範囲】
【請求項１】
穂先側の小径竿管を順に収納する大径竿管の先端部に固定される固定部と、この固定部を介して大径竿管の先端部に保持され、この大径竿管の先端部から突出する小径竿管の先端部を収納可能な硬質材製の筒状部と、この筒状部の先側開口部に、前記大径竿管の先端部に対向させて設けられる軟質材製の閉塞部材とを備え、この閉塞部材は、前記先側開口部の内周縁部に嵌合される外周縁部に沿って厚肉部を形成され、竿管の軸方向に沿う肉厚がこの厚肉部よりも薄い薄肉部を径方向中央部に形成されることを特徴とす釣竿保護カバー。
【請求項２】
前記薄肉部は、厚肉部よりも固定部側に配置されることを特徴とする請求項１に記載の釣竿保護カバー。
【請求項３】
前記固定部から先端にわたる全長を、筒状部の外径の２倍よりも短い寸法に形成し、この筒状部の一側に切欠部が形成されることを特徴とする請求項１又は２に記載の釣竿保護カバー。
【発明の詳細な説明】
【技術分野】
【０００１】
本発明は、大径竿管に、穂先側の小径竿管を順に収納した状態の振出式釣竿の竿先を保護す釣竿保護カバーに関する。
【背景技術】
【０００２】
一般に、磯竿や渓流竿等の振出式の釣竿を仕舞った状態で持ち歩く際、元竿管の先端から突出する先端を、これに作用する衝撃あるいは曲げ等の外力から保護する必要がある。  
このような仕舞った状態の振出式釣竿を保護するため、元竿の先端部に着脱自在の取付部と、中間竿が元竿から抜け出るのを防止するための蓋部とを半円筒状の連結部で連結し、取付部と蓋部との間に通気用の開口を形成した釣り竿の口栓が開発されている（例えば特許文献１参照）。
【０００３】
また、釣竿の先端に嵌合する保護キャップ本体の下面に、釣針を固定させることができる多数の固定孔を形成した釣糸巻取具を一体に形成し、保護キャップ本体の一端に形成した結合孔に、釣竿の先端を保護するゴム等の緩衝部材を嵌合した釣竿の保護キャップが開発されている（例えば特許文献２参照）
更に、円筒型の本体部の穂先側の開口部を覆うゴム部材を、中央付近を穂先側に突出させた透明又は半透明の膜状部材で形成し、釣糸を中通し竿に挿通する際に、糸通し具をこのゴム部材で掴むことにより、釣糸の挿通操作を容易にしたトップカバーが開発されている（例えば特許文献３参照）。
【特許文献１】特開平７−７９６６７号公報
【特許文献２】登録実用新案第３０４５４０３号公報
【特許文献２】特開２０００−１０６７９６号公報
【発明の開示】
【発明が解決しようとする課題】
【０００４】
しかし、取付部と蓋部とを半円筒状の連結部で連結した口栓は、その全体が樹脂で一体に形成されており、元竿の内部から飛び出した穂先竿の先端を保護することはできない。
【０００５】
また、釣竿の先端を保護する緩衝部材を一端の結合孔に嵌合した保護キャップは、この緩衝部材の中央部が厚くかつ周辺部が薄く形成されているため、穂先竿が飛び出したときに、この穂先竿に衝撃が大きく作用すると共に、緩衝部材に作用する大きな衝撃により、緩衝部材が結合孔から外れやすい。また、緩衝材の中央部が厚肉構造に形成されているために、この保護キャップが大型化し、収納空間が少なくなり、確実に釣竿先端を保護することができない。
【０００６】
更に、釣糸の挿通操作を容易にしたトップカバーは、膜状部材であるゴム部材が穂先側の側面を覆うため、穂先を保護することはできない。
【０００７】
本発明は、このような事情に基づいてなされたもので、振出式釣竿の収納時における穂先竿と各竿管先端との保護を確実に図ることのでき釣竿保護カバーを提供することを目的とする。
【課題を解決するための手段】
【０００８】
上記目的を達成する本発明の釣竿保護カバーは、穂先側の小径竿管を順に収納する大径竿管の先端部に固定される固定部と、この固定部を介して大径竿管の先端部に保持され、この大径竿管の先端部から突出する小径竿管の先端部を収納可能な硬質材製の筒状部と、この筒状部の先側開口部に、前記大径竿管の先端部に対向させて設けられる軟質材製の閉塞部材とを備え、この閉塞部材は、前記先側開口部の内周縁部に嵌合される外周縁部に沿って厚肉部を形成され、竿管の軸方向に沿う肉厚がこの厚肉部よりも薄い薄肉部を径方向中央部に形成されることを特徴とする。
【発明の効果】
【０００９】
本発明によると、硬質材製の筒状部に大径竿管の先端部に対向させて設けられる軟質材製の閉塞部材が、大径竿管に収納された各竿管の先端を保護し、径方向中央部に、周縁部よりも薄肉に形成した薄肉部が穂先竿を保護する。これにより、振出式釣竿の収納時における穂先竿と各竿管先端とを確実に保護することができる。
【発明を実施するための最良の形態】
【００１０】
図１から図９は、本発明の好ましい実施形態による釣竿保護カバー１０を示す。この釣竿保護カバー１０は、例えば渓流竿等の振出式釣竿８を収納状態で持ち歩く際、元側の大径竿管である元竿管６の先端から突出する小径の穂先竿管４および中竿管２ａ〜２ｄを保護するのに適したものである。このような振出式釣竿８は、竿尻側に位置する元竿管６と穂先側の穂先竿管４との間に、複数の小径の中竿管２ａ〜２ｄを継合わせた全体に細径かつ軽量構造の通常のものでもよい。元竿管６と穂先竿管４との間に配置する中竿管２ａ〜２ｄの本数については図示のような４本以外であってもよい。また、図示しない魚釣用リールから繰出した釣糸を案内するため、穂先竿４は釣糸結着部４ａ（図５参照）に代えて、トップガイド（図示しない）を固定し、魚釣用リールから螺旋状に繰出される釣糸に与える抵抗を抑制しつつトップガイドまで導く釣糸用の複数の外ガイドを中竿管２ａ〜２ｄに固定した外通しタイプのもの、あるいは釣糸を竿管の内部を通して案内する中通しタイプのものであってもよい。
【００１１】
本実施形態の竿管保護カバー１０は、両端が開口した中空円筒状の筒状部１２を備える。釣竿８を受入れ可能な筒状部１２の元側開口部１２ａからは、この周部の略半分側から幅あるいは円弧長さを縮小しつつ突出して略矩形状（図４参照）の末端部１４ａで終端する延長部１４が延びる。この延長部１４と径方向に対向する側部には、元側開口部１２ａに開口する切欠部１６を形成し、周壁に外力が作用したときに、元側がある程度撓むことができる柔軟性を付与している。また、この筒状部１２の先側は、切欠部１６よりも先側から球面状に湾曲した球状部１８を形成し、この球状部１８の元竿管６の先端開口に対向する部位に、この元竿管６の先側の外径よりも小径の先側開口部１２ｂを形成してある。この筒状部１２の元側開口部１２ａ、延長部１４および切欠部１６の縁部は断面が湾曲形状となるように丸められ、釣竿８の表面に傷が付くのが防止されている。
【００１２】
この筒状部１２は、例えばＡＢＳ樹脂等の合成樹脂である硬質材で形成するのが好ましい。この場合、切欠部１６が大き過ぎると釣竿８の先端部の露出面積が大きくなって他の部材と当接し易くなり、小さ過ぎるとは柔軟性が低下する。このため、図４に示すように、筒状部１６の外径Ｄとしたときに、切欠部１６の幅ｗは（１／３〜１／２）Ｄの範囲の値とすることが好ましい。同様な理由から、筒状部１２の開口部１２ａ，１２ｂ間の軸方向長さをＭとしたときに、切欠部１６の軸方向長さｍは、（１／４）Ｍ＜ｍ＜（１／２）Ｍの範囲の値とすることが好ましい。
【００１３】
図５，図６および図９に示すように、筒状部１２の元側に延びる延長部１４は、その中程から矩形部１４ａにわたって内方に開口する略矩形状の凹部２０を有し、この凹部２０の深さにほぼ相当する分だけ外方に盛上り状態に形成されている。また、この凹部２０のほぼ中央部に、延長部１４を肉厚方向に貫通する細長いスロット２２（図６および図９）が形成され、このスロット２２の一側の肉厚に形成された部分（図５および図６）から、拡径頭部を有する突起２４が外方に突出する。
【００１４】
このように形成された延長部１４には、釣竿８の元竿管６の先端部に筒状部１２を固定するための締付けベルト２６が取付けられており、この締付けベルト２６は延長部１４と共に、釣竿８の元竿管６の先端部に固定される固定部２８を形成する。この締付けベルト２６の基端部には、延長部１４の凹部２０内に収容されて元竿管６に対する緩衝部材として作用する板状のアンカー部２６ａが配置されており、この凹部２０の先側で幅方向の略中央部に形成されたスロット２２からベルト本体２６ｂが外方に突出する。アンカー部２６ａがスロット２２よりも充分大きな幅を有し、元竿管６と延長部１４との間で挟持されるため、ベルト本体２６ｂに大きな力が作用しても、アンカー部２６ａが延長部１４から外れることはない。また、延長部１４の元側に矩形部１４ａが形成されているため、締付けベルト２６を捲きつけたときに、この固定部２８を元竿管６に安定した状態に固定することができる。
【００１５】
この締付けベルト２６は、元竿管６の損傷を防止するために、例えばゴム、エラストマー、皮革等の柔軟性部材で形成することが好ましく、ベルト本体２６ｂに形成した複数の係合孔を介して、この延長部１４に一体形成された突起２４に係止され、延長部１４を介して筒状部１２を元竿１６に一体的に連結することができる。突起２４は、頭部が拡径されているため、締付けベルト２６を確実に保持することができる。このような突起２４と締付けベルト２６の係合孔とに代えて、面ファスナを用いることも可能である。また、アンカー部２６ａとベルト本体２６ｂとを同一材料で一体構造に形成することに代え、それぞれ別部材で形成することもできる。
【００１６】
一方、筒状部材１２の先側開口部１２ｂには、軟質材料で形成された閉塞部材３０が装着される。この閉塞部材３０は先側開口部１２ｂの内周縁部に嵌合される外周縁部に沿って厚肉部３２を形成され、竿管の軸方向に沿う肉厚がこの厚肉部よりも薄い薄肉部３４を径方向中央部に形成される。この薄肉部３４は、元竿管６に収納された状態の穂先竿４の先端に対向する領域であり、径方向に広がりを有している。また、厚肉部３２には、部分的に薄肉部を形成してもよい。
【００１７】
図２から図５に示すように、この閉塞部材３０は、先側に浅い円筒状の凹部３６を形成してあり、この凹部３６を厚肉部３２が囲み、この厚肉部３２の外周面に形成した周方向溝３８（図５参照）に筒状部１２の先側開口部１２ｂの内周縁部が嵌合する。この周方向溝３８が変形し難い厚肉部３２に形成されているため、筒状部１２に確実に保持され、容易に脱落することはない。また、閉塞部材３０の先側に凹部３６が形成されることにより、薄肉部３４が厚肉部３２よりも内方すなわち軸方向および径方向の内方に配置されることになり、釣竿保護カバー１０を釣竿８に装着した状態でこの釣竿を落下させ、あるいは他の部材に衝突したときに、薄肉部３４に外力が直接作用し難い。このため、特に薄肉部３４の内側に位置する穂先竿４等の細径の竿管の先端部にも外力が作用し難く、これらの細径の竿管の先側を保護することができる。
【００１８】
また、図７に示すように、閉塞部材３０の元側の端面すなわち釣竿８の先端に対向する面には径方向に沿う突条３１を互いに直交する状態に延設してある。これらの突条３１は、変形し易く、他の部材と衝突した場合等に釣竿８の先端に与える衝撃を緩和するものである。このような突条３１は、釣竿８に与える衝撃を緩和できるものであれば、直交方向に限らず、互いに略平行に延設してもよく、その断面形状についても、矩形状、三角形あるいは半円状等の適宜の形状に形成することができる。
【００１９】
このような閉塞部材３０は、円筒状部１２に装着したときに、次のような関係となるように形成することが好ましい。  
すなわち、図８に示すように、元側開口部１２ａと閉塞部材３０の元側縁部との間の寸法ｔ１がＤよりも小さく（ｔ１＜Ｄ）、元側開口部１２ａと閉塞部材３０の先側縁部との間の寸法ｔ２がＤにほぼ等しく（ｔ２≒Ｄ）、固定部２８の突起２４に係止されるベルト本体２６ｂの元側縁部と閉塞部材３０の先側縁部との間の寸法ｔ３が２Ｄよりも小さく（ｔ３＜２Ｄ）、固定部２８の延長部１４の元側縁部と閉塞部材３０の先側縁部との間の寸法ｔ４が２Ｄ以下（ｔ４≦２Ｄ）となるように形成することにより、コンパクトな構造でありながら釣竿８の先側を確実に保護することが可能な保護カバー１０を形成することができる。なお、延長部１４の元側縁部を突起２４よりも後方すなわち元側に延長させることにより、釣竿８に取付けたときに、釣竿８に確実に保持させ、グラツキを抑制し易くすることができる。
【００２０】
このような閉塞部材３０は、穂先竿４の損傷を防止する軟質材料であればどのようなものでもよいが、筒状部１２に確実に保持され、容易に脱落することがないように、例えば天然ゴム、合成ゴム、ウレタンエラストマー、スチレン系エラストマー、オレフィン系エラストマー等の材料が好ましい。
【００２１】
このように形成された釣竿保護カバー１０を釣竿８に取付ける場合は、図1の（Ａ）に示す状態に、穂先竿４および中竿管２ａ，２ｂ等の穂先側の竿管を元竿管６に収容し、釣竿保護カバー１０を元竿管６側に移動し、延長部１４および締付けベルト２６からなる固定部２８を介して、図１の（Ｂ）に示すように元竿管６に固定する。このように穂先側の竿管が元竿管６から突出しても釣竿保護カバー１０が固定されることにより、確実に釣竿８の先端の保護が図れる。
【００２２】
このように釣竿保護カバー１０が釣竿８に固定されると、元竿管６の先端部に対向させて設けられる軟質材製の閉塞部材３０が、元竿管６およびこの元竿管６に収納された各竿管２ａ〜２ｄ（図１参照）の先端を保護し、中央部の薄肉部３４その柔軟な構造により、穂先竿４が突出しても、穂先竿４の先端部を保護する。これにより、振出式釣竿８の収納時における穂先竿４と各竿管２ａ〜２ｄ，６先端とを確実に保護することができる。また、硬質材製の筒状部１２の側部に形成した切欠部１６は、この筒状部１２の側壁部を変形し易くするため、筒状部１２の側壁部を介して釣竿８に外力が作用する場合でも、筒状部１２で力が吸収され、応力が集中し難く、釣竿８の各竿管の破損を防止することができる。更に、閉塞部材３０から固定部２８まで含むその全長が筒状部１２の径Ｄの２倍よりも短く形成されることにより、極めてコンパクトで携帯性に優れる。
【００２３】
図１０は変形例による釣竿保護カバー１０Ａを示す。なお、以下に説明する種々の変形例あるいは実施形態は基本的には上述の実施形態と同様であり、したがって同様な部位には同様な符号を付し、その詳細な説明を省略する。  
この釣竿保護カバー１０Ａは、閉塞部材３０ａの先側に形成した凹部３６ａが湾曲面で形成されており、したがって厚肉部３２と薄肉部３４との間には段部が形成されず、滑らかに移行する。この場合には、全体の強度を低下させることなく、中央部をより薄肉化することができ、釣竿８の先側を確実に保護することができる。
【００２４】
図１１から図１３は、更に他の変形例による釣竿保護カバー１０Ｂを示す。  
この釣竿保護カバー１０Ｂは、上述の締付けベルト２６に代え、延長部１４の両側から一対の腕部を４０を延長させて固定部２８ａを形成してある。これらの腕部４０は筒状部１２の中心軸を越えて延びるのが好ましい。
【００２５】
この釣竿保護カバー１０Ｂは、腕部４０の弾性で釣竿８に係止させることができ、別個の締付けベルトが不要であるため、携帯に便利で、釣竿８に対する取付けおよび取外しが極めて容易である。
【００２６】
以上、本発明の種々の実施形態および変形例について説明してきたが、本発明はいずれかの実施形態に限るものではなく、適宜に組合せあるいは変形することが可能である。例えば図１０に示す閉塞部材３０ａを図１１から図１３に示す実施形態に用いることも可能である。
【図面の簡単な説明】
【００２７】
【図１】本発明の好ましい実施形態による竿管保護カバーを釣竿に取付ける状態および取付けた状態を示す説明。
【図２】図１の竿管保護カバーを釣竿に取付けた状態の側面図。
【図３】図２のＩＩＩ−ＩＩＩ線に沿う図。
【図４】図２の竿管保護カバーを釣竿に取付けた状態の平面図。
【図５】図３のＶ−Ｖ線に沿う断面図。
【図６】図２のＶＩ−ＶＩ線に沿う断面図。
【図７】図２のＶＩＩ−ＶＩＩ線に沿う図。
【図８】釣竿から取外した状態の竿管保護カバーの各部の軸方向寸法の関係を示す説明図。
【図９】締付けベルトを取付けた状態の竿管保護カバーの図８の平面図。
【図１０】変形例による竿管保護カバーの断面図。
【図１１】他の変形例による竿管保護カバーの斜視図。
【図１２】図１１の竿管保護カバーを釣竿に取付けた状態の側面図。
【図１３】図１２のＸＩＩＩ−ＸＩＩＩ線に沿う説明図。
【符号の説明】
【００２８】
６…元竿管、８…釣竿、１０…竿管保護カバー、１２…筒状部、先側開口部１２ｂ、２８…固定部、３０…閉塞部材、３２…厚肉部、３４…薄肉部。
【図１】
2007151412.tif 000003
【図２】
2007151412.tif 000004
【図３】
2007151412.tif 000005
【図４】
2007151412.tif 000006
【図５】
2007151412.tif 000007
【図６】
2007151412.tif 000008
【図７】
2007151412.tif 000009
【図８】
2007151412.tif 000010
【図９】
2007151412.tif 000011
【図１０】
2007151412.tif 000012
【図１１】
2007151412.tif 000013
【図１２】
2007151412.tif 000014
【図１３】
2007151412.tif 000015